(57)【要約】 【課題】  役物の大型化の可能な薄型のパチンコ機の大入賞装置を提供する。【解決手段】  筐体１の前面に、球の入賞口４と、この入賞口４に周設されて遊技板２に設けた取付窓２１の周縁に当接される鍔板３とを設け、入賞口４には開閉機構によって上下方向に開閉される前扉５を配設し、筐体１の内部には入賞口４と連通する球通路６を設けた大入賞装置において、筐体１の上壁部を省略して球通路６の上方に開放部１４を設けて、前傾した前扉５の上面と取付窓２１上縁と間隔Ｓを球が一個通過可能な隙間に形成して、筐体１を薄くしたパチンコ機の大入賞装置。【選択図】    図３
2007097881.tif 000002
【特許請求の範囲】
【請求項１】
筐体の前面に、球の入賞口と、この入賞口に周設されて遊技板に設けた取付窓の周縁に当接される鍔板とを設け、入賞口には開閉機構によって上下方向に開閉される前扉を配設し、筐体の内部には入賞口と連通する球通路を設けたパチンコ機の大入賞装置において、
筐体の上壁部を省略して球通路の上方に開放部を設けて、前傾した前扉の上面と取付窓上縁との間隔を球一個が通過可能な隙間に形成したことを特徴とするパチンコ機の大入賞装置。
【請求項２】
筐体の前面に、球の入賞口と、この入賞口に周設されて遊技板に設けた取付窓の周縁に当接される鍔板とを設け、入賞口には開閉機構によって上下方向に開閉される前扉を配設し、筐体の内部には入賞口と連通する球通路を設けたパチンコ機の大入賞装置において、
入賞口の上方の鍔板を省略して鍔板に開放部を設けるとともに、前扉を、閉鎖された時にその上端部が取付窓上縁の前面に当接されるものとしたことを特徴とするパチンコ機の大入賞装置。
【請求項３】
入賞口の上方の鍔板を省略して鍔板に開放部を設けるとともに、前扉を、閉鎖された時にその上端部が取付窓上縁の前面に当接されるものとしたことを特徴とする請求項１に記載のパチンコ機の大入賞装置。
【発明の詳細な説明】
【技術分野】
【０００１】
本発明は、パチンコ機の遊技領域に取り付けられる大入賞装置に関するものである。
【背景技術】
【０００２】
パチンコ機の多くは、遊技領域の中央にセンター役物として種々の数字、文字、図形等の図柄を変動表示する図柄表示部を有する変動図柄表示装置が設けられ、その下方には始動入賞口が配置されている。そして、遊技領域の下部には大入賞口を前扉で開閉して、一度に大量の入賞球を発生させる大入賞装置が装着されている。上記構成のパチンコ機は、始動入賞口に球が入賞することを条件に図柄表示部の図柄が変動し、その停止したときの表示図柄が予め定められた所定の組み合わせになったときに、遊技者にとって有利となる特別遊技状態となって、大入賞装置が開放されて一度に大量の球を入賞させることができるようになっている。
【０００３】
ところで、近年遊技内容の複雑化に伴い図柄変動表示部の表示形態が複雑になって、遊技領域における役物の締める割合が大きくなっている。（例えば、特許文献１〜３）。このように、遊技領域に占める役物の占める割合が多くなると、各種の装飾部材や大入賞装置を配置する余裕が少なくなって、結果的に大入賞装置の小型化が求められていた。
【０００４】
図５〜７に従来の大入賞装置の例を示す。この大入賞装置は、筐体１の前面に、矩形の球の入賞口４と、この入賞口４の周設されて遊技板２の取付窓２１の周縁に当接される鍔板３とが設けられている。  鍔板３は入賞口４の四方からせり出すように延設されている。入賞口４には図示していない開閉機構によって上下方向に開閉される前扉５が配設されており、筐体１の内部には入賞口４に連通する球通路６が設けられていて、球通路６の上方は上壁部７で覆われている。
【０００５】
前扉５が上方に回動された図５，６の状態では入賞口４は塞がれて球は入賞することはできない。一方、遊技が特別遊技状態となって前扉５が図７のように開放された状態では、前扉５の上面に落下した球は球通路６から筐体１の内部に取り込まれて入賞し球計数装置８で球数が計数される。なお、９はガラス板である。
以上のように、大入賞装置は、前扉５が上方に回動された球を受け入れない閉鎖状態と、前扉５を前傾させた球を受け入れる開放状態とに変化させなければならず、図７に示す状態においては開放された前扉５の上面と遊技板２上縁との隙間は球一個分よりも十分大きい間隔とせざるを得ない。
【０００６】
また、前扉５の開放時に前扉５の上端部とガラス板９との間隔が球の半径以下でなければ、前扉５とガラス板９との間で球噛みを起こす恐れがある。よって、前扉５の高さを球噛みを起こさない高さとする必要がある。
また、従来の大入賞装置においては入賞口４の上側に鍔板３が存在しているため、前扉５の閉鎖時には前扉上端部と入賞口４の内壁上面とがほぼ一致している必要があった。よって、入賞口４の高さは前扉５の高さによって自ずから決定されるので、このため、大入賞装置の薄型化ははなはだ困難なことであった。
【特許文献１】特開２００１−３３４０２２号公報
【特許文献２】特開２００１−１６１９３２号公報
【特許文献３】特開２００１−１６１９３３号公報
【発明の開示】
【発明が解決しようとする課題】
【０００７】
本発明は、上記した従来の問題点に鑑み、役物の大型化の可能な薄型の大入賞装置を提供することを課題とする。
【課題を解決するための手段】
【０００８】
上記の課題を解決するためになされた本発明のパチンコ機の大入賞装置は、
筐体の前面に、球の入賞口と、この入賞口に周設されて遊技板に設けた取付窓の周縁に当接される鍔板とを設け、入賞口には開閉機構によって上下方向に開閉される前扉を配設し、筐体の内部には入賞口と連通する球通路を設けたパチンコ機の大入賞装置において、
筐体の上壁部を省略して球通路の上方に開放部を設けて、前傾した前扉の上面と取付窓上縁との間隔を球一個が通過可能な隙間に形成したことを特徴とするものである。
【０００９】
また、本発明の大入賞装置は、筐体の前面に、球の入賞口と、この入賞口に周設されて遊技板に設けた取付窓の周縁に当接される鍔板とを設け、入賞口には開閉機構によって上下方向に開閉される前扉を配設し、筐体の内部には入賞口と連通する球通路を設けたパチンコ機の大入賞装置において、
入賞口の上方の鍔板を省略して鍔板に開放部を設けるとともに、前扉を、閉鎖された時にその上端部が取付窓上縁の前面に当接されるものとしたことを特徴とするものである。
また、本発明の大入賞装置は、請求項１の発明において、入賞口の上方の鍔板を省略して鍔板に開放部を設けるとともに、前扉を、閉鎖された時にその上端部が取付窓上縁の前面に当接されるものとしたことを特徴とするものである。
【発明の効果】
【００１０】
請求項１の発明は、筐体の上壁部を省略して球通路の上方に開放部を設けたので、前傾した前扉の上面と取付窓上縁と間隔を球が一個通過可能な隙間に形成することができて、大入賞装置の厚みを大幅に薄くすることができる。
請求項２の発明は、入賞口の上方の鍔板を省略したので、前扉の高さにとらわれることなく入賞口の高さを低くすることができ、その分大入賞装置の薄型化が可能となる。また、前扉が開放されたときに、落下する球を鍔板に邪魔されることなく入賞口に入賞させることができる。
請求項３の発明は、筐体の厚みを薄くできるうえに、鍔板の高さも低いものとすることができる。
【発明を実施するための最良の形態】
【００１１】
以下に本発明発明の最良の形態について説明する。
図１〜４は、本発明の大入賞装置を示す図であって、既記したように筐体１の前面に、矩形の球の入賞口４と、この入賞口４の周りに設けられて遊技板２の取付窓２１の周縁に当接される鍔板３とが設けられている。入賞口４には、ソレノイド１１と動力伝達部材１２とからなる開閉機構によって、上下方向に開閉される前扉５が配設されている。前扉５は前傾されたときに上側となる上面に落下球を受け止めるが、落下した球は左右のガイド１３により球通路６に集められて球計数装置８を通過して、入賞球の球数が計数される。
【００１２】
本実施の形態の大入賞装置は、厚みを薄くするために上壁部が省略されて、球通路６の上方に開放部１４が形成されたものである。このように上壁部を省略したことにより、取付窓２１の上縁を球通路６の天井部となして、図３に示すように前傾した前扉５の上面と取付窓２１上縁との間隔Ｓを球一個が通過可能な狭い隙間に形成することができる。よって、従来の筐体１の有する上壁部を省力して、前扉５の上面と取付窓２１上縁との隙間を小さくした分大入賞装置を薄型化して遊技領域を拡張することができる。
【００１３】
また、上記実施形態の大入賞装置は、入賞口４の上方の鍔板３を省略して鍔板３に開放部１５を設けて、前扉５が閉鎖された時に、前扉５の上端部が取付窓２１の上縁の前面に当接されるようにしてあって、前扉５の閉鎖方向への回動が停止される。入賞口４の上方の鍔板３を省略したので前扉５の高さにとらわれることなく入賞口４の高さを低くすることができ、その分大入賞装置を薄型化することができる。また、前扉５が閉鎖された通常の遊技状態では、筐体１上部と取付窓２１上縁との間の隙間が前扉５によって覆われるので、見栄えをよく保つことができる。また、開放された前扉５に上方から球が落下する場合に、開放部１５には鍔板３が存在しないので、球が鍔板３に衝突して方向変換されて入賞を邪魔されるようなことがない。よって、遊技者の期待を裏切ることがない。
【００１４】
以上説明したように、本発明の大入賞装置は、筐体１の上壁部を省略して球通路の上方に開放部を設けて、この筐体１を遊技板の取付窓２１に装着したので、前傾した前扉５の上面と取付窓２１上縁との間隔Ｓを球一個が通過可能な隙間に形成することができて、大入賞装置の厚みを大幅に薄くして役物を大型化することができる。
また、本発明の大入賞装置は、入賞口４の上方の鍔板３を省略したので、前扉５の高さにとらわれることなく入賞口４の高さを低くすることができ、その分大入賞装置の薄型化が可能となる。また、前扉５が開放されたときに、落下する球を鍔板３に邪魔されることなく入賞口４に入賞させることができるという大きな利点がある。
【図面の簡単な説明】
【００１５】
【図１】本発明に係る大入賞装置の斜視図である。
【図２】大入賞装置の（ａ）正面図、（ｂ）平面図、（ｃ）側面図である。
【図３】前扉が開放状態である本発明の大入賞装置の側面の断面図である。
【図４】前扉が閉鎖状態である本発明の大入賞装置の側面の断面図である。
【図５】従来の大入賞装置の斜視図である。
【図６】前扉が閉鎖状態である従来の大入賞装置の側面の断面図である。
【図７】前扉が開放状態である従来の大入賞装置の側面の断面図である。
【符号の説明】
【００１６】
１  筐体、２  遊技板、３  鍔板、４  球の入賞口、５  前扉、６  球通路、１４  開放部、２１  取付窓  
【図１】
2007097881.tif 000003
【図２】
2007097881.tif 000004
【図３】
2007097881.tif 000005
【図４】
2007097881.tif 000006
【図５】
2007097881.tif 000007
【図６】
2007097881.tif 000008
【図７】
2007097881.tif 000009